(57)【要約】      （修正有）【課題】単純な構成で、車両の排気管からの排ガスの温度を下げ、該排ガスを室外に排出できる排ガス排気装置を提供する。【解決手段】本発明の車両からの排ガス排出装置は、車両から排出される排ガスを通す、所望の長さの排気ホース２と、該排気ホースの先端に設けられた、車両から排出される排ガスを捕集できる、筒状に形成された吸引ノズル１０と、該排気ホースの基部に設けられた、該排気ホース内を吸引する排気ファンと、前記筒状の吸引ノズル内の中心部に設けられたバッフル９とよりなることを特徴とする。【選択図】図１
2019138502.tif 000002
【特許請求の範囲】
【請求項１】
車両から排出される排ガスを通す、所望の長さの排気ホースと、
該排気ホースの先端に設けられた、車両から排出された排ガスを捕集できる、筒状に形成された吸引ノズルと、
該排気ホースの基部に設けられた、該排気ホース内を吸引する排気装置と、
前記筒状の吸引ノズル内の中心部に設けられたバッフルとよりなることを特徴とする車両からの排ガス排出装置。
【請求項２】
前記バッフルは、板状であることを特徴とする請求項１に記載の車両からの排ガス排出装置。
【請求項３】
前記バッフルは、前記車両の排気管の開口部の大きさよりも大きい形状であることを特徴とする請求項１または２に記載の車両からの排ガス排出装置。
【請求項４】
前記バッフルの前側の表面、又は後側の表面、又は前側及び後側の表面に、複数の凸部又は凹部が設けられていることを特徴とする請求項１、２または３記載の車両からの排ガス排出装置。
【請求項５】
前記凸部又は凹部は、直線状に形成され、それぞれ離間して、複数設けられていることを特徴とする請求項４に記載の車両からの排ガス排出装置。
【発明の詳細な説明】
【技術分野】
【０００１】
本発明は車両からの排ガス排出装置、特に、車両から排出される排ガスを捕集して、所望の場所に排出するための装置に関するものである。
【背景技術】
【０００２】
整備工場などの室内で車両の車検や整備を行う際、該車両のエンジン（内燃機関）から排出された排ガスが室内に充満するのを防止するために、該車両の排気管から出る排ガスを直接、捕集して、室外に排出する排ガス排出装置を設ける場合がある。
【０００３】
図６は、従来の車両からの排ガス排出装置１を示し、該排ガス排出装置１は、排ガスを通す、所望の長さの排気ホース２と、該排気ホース２の先端開口部２ａに接続された、車両３の排気管３ａからの排ガスを直接、捕集できる筒状の吸引ノズル４と、前記排気ホース２の基部開口部２ｂに、温度センサーとチャッキ弁（チャッキダンパー）とを有する安全装置２ｃを介して接続された、該基部開口部２ｂから前記排気ホース２内を吸引し、前記吸引ノズル４により捕集された排ガスを、室６外に排出するための排気装置５とよりなる。
【０００４】
なお、２ｄは、前記排気ホース２内にゴミが流入するのを防止するためのフィルターであり、該フィルター２ｄは、例えば、前記排気ホース２の先端開口部２ａに設けられる。
【０００５】
前記排気ホース２は、例えば、樹脂製で、湾曲可能に形成され、例えば、使用しない時には、前記室６内の天井に設けられた巻き取りリール７に巻き取られて収納され、使用時には、前記リール７から、引き延ばされて、前記排気ホース２に接続された吸引ノズル４が、前記車両３の排気管３ａ付近まで位置されるようになる。
【０００６】
前記筒状の吸引ノズル４は、図７に示すように、例えば、ステンレス製の、後面４ａから前面４ｂに向かって、徐々に径が広がる、断面が円形状の円錐台状に形成され、該筒状の吸引ノズル４の前面４ｂは開口し、例えば、前記車両３の排気管３ａの排気口の大きさより大きく形成され、該排気管３ａからの排ガスを直接、捕集可能に形成され、また、後面４ａは、後板により塞がれると共に、該後板の中央部に設けられた開口部に、前記排気ホース２の先端開口部２ａに連結され、前記捕集された排ガスが前記排気ホース２に吸引可能に形成されている。
【０００７】
また、前記吸引ノズル４は、該吸引ノズル４を所望の高さに移動可能な支持台８により、地面に支持され、該吸引ノズル４は、前記支持台８により、前記車両３の排気管３ａからの排ガスを、直接捕集できる所望の高さに位置され支持されるようになる。
【０００８】
前記排気装置５は、前記排気ホース２内を基部側から吸引し、該吸引した空気（排ガス）を排出管５ａを介して室外に排気するように構成され、該排気装置５には、例えば、吸気ファンが設けられる。
【０００９】
前記従来の車両からの排ガス排出装置１においては、前記排気ホース２を前記リール７から引き延ばして、前記吸引ノズル４の前面開口部を、該車両の排気管から排出された排ガスを直接、捕集できるように、車両３の排気管３ａの開口部の近傍に設置させて、そして、前記排気装置５の吸引ファンを駆動して、前記排気ホース２内を吸引するようにする。
【００１０】
これにより、車両３の排気管３ａから排出された排ガスは、該吸引ノズル４により捕集され、前記排気ホース２を介して、室６外に排出されるようになる。
【００１１】
なお、排ガス排出装置１を使用中に、前記安全装置２ｃの温度センサーが、予め定めた設定温度に達したと判断した場合には、前記安全装置２ｃに接続した制御盤によりブザーとパトライト（登録商標）で警報を出すようする。
【００１２】
また、前記安全装置２ｃが、排気ガスの流入量が所望の量より少ないと判断した場合には、前記チャッキ弁を開いて、前記排気ホース２外の新しい空気を前記排気装置５内に流入するようにする。
【００１３】
例えば、前記従来の車両からの排ガス排気装置としては、例えば、特許文献１がある。
【先行技術文献】
【特許文献】
【００１４】
【特許文献１】特開２００８−８５１０号公報
【発明の概要】
【発明が解決しようとする課題】
【００１５】
ディーゼルエンジン車には、排ガスに含まれる粒子状物質を捕集するためのフィルターが設けられ、さらに、該フィルターには、フィルターに捕集された粒子状物質を燃やし、該フィルターの目詰まりを防止するようにした、ディーゼルパティキュレートフィルター（ＤＰＦ）が設けられている場合がある。
【００１６】
該ＤＰＦは、エンジンの駆動中に定期的に作動し、該ＤＰＦが作動している場合には、通常の排ガスの温度（２００度以下）よりも、非常に高い温度の排ガスが、車両の排気管から排出され、その温度は、３００度を超える場合もある。
【００１７】
従って、車検や整備中において、前記排ガス排気装置を使用している際に、ＤＰＦが作動した場合に、前記樹脂製の排気ホースが高温に耐えられず、破損する場合があった。
【００１８】
本発明は、単純な構成で、車両の排気管からの排ガスの温度を下げ、該排ガスを室外に排出できる排ガス排気装置を提供することを目的とする。
【課題を解決するための手段】
【００１９】
本発明の車両からの排ガス排出装置は、車両から排出される排ガスを通す、所望の長さの排気ホースと、該排気ホースの先端に設けられた、車両から排出された排ガスを捕集できる、筒状に形成された吸引ノズルと、該排気ホースの基部に設けられた、該排気ホース内を吸引する排気装置と、前記筒状の吸引ノズル内の中心部に設けられたバッフルとよりなることを特徴とする。
【００２０】
また、前記バッフルは、板状であることを特徴とする。
【００２１】
また、前記バッフルは、前記車両の排気管の開口部の大きさよりも大きい形状であることを特徴とする。
【００２２】
また、前記バッフルの前側の表面、又は後側の表面、又は前側及び後側の表面に、複数の凸部又は凹部が設けられていることを特徴とする。
【００２３】
また、前記凸部又は凹部は、直線状に形成され、それぞれ離間して、複数設けられていることを特徴とする。
【発明の効果】
【００２４】
本発明によれば、単純な構成で、車両の排気管からの排ガスの温度を下げ、該排ガスを室外に排出できるようになる。
【図面の簡単な説明】
【００２５】
【図１】本発明の車両からの排ガス排出装置の説明用の一部縦断側面図を示す。
【図２】本発明の車両からの排ガス排出装置の説明用の正面図である。
【図３】本発明の車両からの排ガス排出装置のバッフルの他の実施例の斜視図を示す。
【図４】本発明の車両からの排ガス排出装置の他の実施例の説明用の一部縦断側面図を示す。
【図５】本発明の車両からの排ガス排出装置の更に他の実施例の説明用の一部縦断側面図を示す。
【図６】従来の車両からの排ガス排出装置の説明図である。
【図７】従来の車両からの排ガス排出装置の吸気ノズルの斜視図である。
【発明を実施するための形態】
【００２６】
以下、図１〜図５によって本発明の実施例を説明する。なお、前記従来の排ガス排出装置と同一の部分には同一の符号を付して説明を省略する。
【実施例１】
【００２７】
本発明においては、前記従来の車両からの排ガス排出管装置１において、前記吸引ノズル４を用いる代わりに、バッフル９を有する筒状の吸引ノズル１０を用いる。
【００２８】
前記吸引ノズル１０は、例えば、ステンレス製の、後面１０ａから前面１０ｂに向かって、徐々に開口部が大きくなる、断面が矩形状の四角錐台状に形成され、該筒状の吸引ノズル１０の前面１０ｂは開口し、例えば、前記車両３の排気管３ａの排気口の大きさより大きく形成され、該排気管３ａからの排ガスを直接、捕集可能に形成され、また、後面１０ａは、後板により塞がれると共に、該後板の中央部に設けられた開口部に、前記排気ホース２の先端開口部２ａに連結され、前記捕集された排ガスが前記排気ホース２に吸引可能に形成されている。
【００２９】
なお、前記吸引ノズル１０の前面開口部の大きさは、例えば、縦４００ｍｍ、横６００ｍｍ、後側開口部の大きさは、例えば、縦３００ｍｍ、横３００ｍｍ、奥行きが３００ｍｍであり、また、前記後板に形成された、前記排気ホースが連結される開口部は、例えば、前記後板の中心に円形に形成され、直径１５０ｍｍである。
【００３０】
また、前記バッフル９は、前記吸引ノズル１０内の、該吸引ノズル１０の前面開口部から、軸方向（前面から後面に向かう方向）において、所望の距離離間した位置に設けられると共に、前記吸引ノズル内の中央部（前記軸に対する垂直面内における中央）に設け、該バッフル９により、前記吸引ノズルの中央部を塞ぐように設けられる。
【００３１】
前記バッフル９は、例えば、矩形の板状に形成され、該板状の面が、該吸引ノズル１０の軸に対して直交するように配置されると共に、該バッフル９の上下左右の各縁部は、それぞれ前記吸引ノズル１０の上下左右の内周面から所望の距離離間して配置され、該縁部と前記内周面との間に排ガスと空気が通る隙間が設けられるように形成される。
【００３２】
なお、前記バッフルの大きさは、例えば、縦３５０ｍｍ、横４５０ｍｍ、前記前面開口部からの距離を１００ｍｍとし、前記吸引ノズルの中央部に設けるようにする。
【００３３】
前記バッフル９により、前記吸引ノズル１０により捕集された前記車両３の排気管３ａから排出された排ガスが、該バッフル９に当接して、該バッフル上を沿って前記吸引ノズルの内周面側に向かって流れ、そして、前記隙間を通して、前記排気ホース２に流れるようになり、また、この前記吸引ノズル１０の内周面まで迂回した前記排ガスの流れが、前記吸引ノズル１０の前面開口部の外側周辺部の空気を巻き込んで、該空気が隙間を通じて、前記排気ホース２に流れるようになり、前記排ガスと、前記空気が混合したガスが、前記排気ホース２内に吸引されるようになる。
【００３４】
なお、前記バッフル９は、ステー等の固定手段により、前記吸引ノズル１０内の中央部に固定されるようになる
【００３５】
なお、前記バッフル９の縁部と、前記吸引ノズル１０の内周面との間の隙間は、前記吸引ノズル１０の前面開口部から捕集した排ガスや空気を前記排気ホース２側に吸引できる大きさであればよい。
【００３６】
また、前記バッフル９の縁部と、前記吸引ノズル１０の内周面との間に、排ガス等を流す隙間が形成されていれば良いので、前記バッフル９の縁部の一部と、前記吸引ノズル１０の内周面の一部とが連結されていてもよい。
【００３７】
また、前記バッフル９の形状は、前記車両３から排出された排ガスを、前記吸引ノズルの内周面まで迂回できる大きさであれば良く、特に、前記車両３の排気管３から排出され、前記吸引ノズル１０により捕集された排ガスの略全てを遮り迂回させる大きさであることが望ましく、例えば、少なくとも、車両３の排気管３ａの開口部の大きさよりも大きい形状であることが望ましい。
【００３８】
また、前記吸引ノズル１０の前面開口部から所望の距離離れた位置とは、前記車両３の排気管３ａから排出される排ガスが前記バッフル９に当接し迂回した排ガスが、前記前面開口部外に漏れずに、前記隙間を通して前記排気ホース２に吸引されると共に、前記迂回した排ガスにより、前記吸引ノズル１０の前面開口部の外側周辺部の空気を前記吸引ノズル１０内に巻き込むことができる距離であることが好ましい。
【００３９】
次に本発明の車両からの排ガス排出装置の使用方法と効果について説明する。
【００４０】
本発明においては、まず、前記排気ホース２を前記リール７から引き延ばして、前記吸引ノズル１０の前面開口部を、該車両３の排気管３ａから排出された排ガスを直接、捕集すると共に、該排出された排ガスの略全てが、前記バッフル９に当たるように、車両３の排気管３ａの開口部の近傍に設置させて（例えば、前記吸気ノズル１０の前面開口部と前記車両３との距離を５０ｍｍとする）、そして、前記排気装置５の吸引ファンを駆動して、前記排気ホース２内を吸引するようにする。
【００４１】
これにより、車両３の排気管３ａから排出された排ガスは、該吸引ノズル１０の前面開口部から筒内に吸引され、そして、前記バッフル９に当接して、該バッフル９上を沿って前記吸引ノズルの内周面側に向かって流れ、そして、前記バッフル９の縁部と前記吸引ノズル１０の内周面との間の隙間を通じて、前記排気ホース２内に吸引されるようになる。
【００４２】
また、前記吸引ノズル１０の内周面付近を通過した排ガスが、前記吸引ノズル１０の前面開口部外の周辺部の空気を巻き込んで、該空気が隙間を通じて、前記排気ホース２に流れるようになり、前記排ガスと、前記空気が混合したガスが、前記排気ホース２内に吸引されるようになり、この際、前記排ガスが、前記巻き込んだ空気により冷却されて、排気ホース２内に吸引されるようになる。
【００４３】
この排ガスと外部空気との混合により、該排ガスの温度が下がり、前記吸引ホース２を痛めないようになる。
【００４４】
なお、前記バッフル９の前側の表面（排ガスが当たる面）に、複数の凸部（又は凹部）を設け、排ガスとの接触面積を増やして冷却効果を上げるようにしてもよい。
【００４５】
また、更に、図３及び図４に示すように、前記凸部（又は凹部）を、例えば、左右方向（水平方向）に直線状に延びるように形成し、該凸部（又は凹部）１１を上下方向に、所望の距離離間して、複数設け、該バッフル９に当接した排ガスを左右方向の縁部に流すようにして、該排ガスを整流するようにしてもよい。
【００４６】
該整流により、空気の流れを早くでき、より外部空気を巻き込めるようになり、排ガスの冷却効果を上げることができるようになる。
【００４７】
なお、左右方向に直線状に延びる凸部を設けた場合には、該バッフル９の上下の縁部と、前記吸気ノズル１０の内周面とを連結するようにしてもよいなど、凸部の方向に直交する側の縁部を、前記吸気ノズル１０の内周面と連結するようにしてもよい。
【００４８】
なお、前記バッフル９の後側の表面（排ガスが当たらない面）にも、更に、凸部（又は凹部）を設けてもよい。また、例えば、図５に示すように、後側の表面に、凸部（又は凹部）１２を、前記凸部（又は凹部）１１と同様に、直線状に複数設けるようにしてもよい。
【００４９】
また、前記バッフル９の前側の表面には、前記凸部（又は凹部）を設けずに、後側の表面にのみ、前記凸部（又は凹部）を設けるようにしてもよい。
【００５０】
なお、本発明は、ＤＰＦを有しないディーゼル車やガソリンエンジン車専用の排ガス排気装置としても使用でき、かかる場合、耐用温度が低い排気ホースを用いることができので、経済性を良くでき、また、装置の耐久性を伸ばすことができるようになる。
【産業上の利用可能性】
【００５１】
本発明の車両からの排ガス排出装置は、内燃機関を有する乗用車その他の自動車、二輪車などの車両の製造工程又は車検整備を行なう車両整備工場等で有用である。
【符号の説明】
【００５２】
１      排ガス排出装置
２      排気ホース
２ａ    先端開口部
２ｂ    基部開口部
２ｃ    安全装置
２ｄ    フィルター
３      車両
３ａ    排気管
４      吸引ノズル
４ａ    後面
４ｂ    前面
５      排気装置
５ａ    排出管
６      室
７      巻き取りリール
８      支持台
９      バッフル
１０    吸引ノズル
１０ａ  後面
１０ｂ  前面
１１    凸部（又は凹部）
１２    凸部（又は凹部）
【図１】
2019138502.tif 000003
【図２】
2019138502.tif 000004
【図３】
2019138502.tif 000005
【図４】
2019138502.tif 000006
【図５】
2019138502.tif 000007
【図６】
2019138502.tif 000008
【図７】
2019138502.tif 000009